(57)【要約】【課題】生体電池作用を内蔵した装身具式治療具であって、生体電池素子又は生体電池素子を構成する負極部が容易に交換でき、長期間に渡り使用できる装身具式治療具を提供する。【解決手段】  装身具本体５を構成する被取付体３の裏側に凹陥部６を穿設し、生体電池素子４を嵌合する。生体電池素子４は抜け落ちを防止するため、接着、弾性圧入、又は弾性を有する部材と共に凹陥部に圧入される。被取付体３を形成する素材を貴金属又は貴金属のメッキ品とし、凹陥部６には負極部２を同様に圧入してもよい。【選択図】図３
2007229309.tif 000002
【特許請求の範囲】
【請求項１】
互いに電気的に接続されて正極部及び負極部を形成する、前記正極部は少なくとも表面が前記負極部より高い標準電極電位を有する導電性物質からなり、前記負極部は少なくとも表面が前記正極部より低い標準電極電位を有する導電性物質からなる、前記正極部と前記負極部とが皮膚に同時に接触して人体と共に生体電池を構成する生体電池素子と、一方の面に前記生体電池素子が取付られる凹陥部が穿設された被取付体とを有し、
前記凹陥部内には前記生体電池素子が、前記正極部と前記負極部とが皮膚に接触するよう前記凹陥部の周縁部より僅かに突出して嵌合されていることを特徴とする装身具式治療具用部材。
【請求項２】
前記生体電池素子は、前記凹陥部内に接着されていることを特徴とする請求項１に記載の装身具式治療具用部材。
【請求項３】
前記生体電池素子を形成する前記正極部又は前記負極部の少なくとも一方は、該極部を形成する部材が弾性変形可能な材質で形成され、前記生体電池素子は、前記部材の弾性変形により前記凹陥部内に圧入されていることを特徴とする請求項１に記載の装身具式治療具用部材。
【請求項４】
前記生体電池素子は、弾性を有する部材と共に前記凹陥部内に圧入されていることを特徴とする請求項１に記載の装身具式治療具用部材。
【請求項５】
負極部と、一方の面に前記負極部が取付られる凹陥部が穿設された被取付体とを有し、該被取付体の少なくとも前記凹陥部が穿設された側の表面は、前記負極部より高い標準電極電位を有する導電性物質からなり正極部を形成すると共に、
前記凹陥部内には、少なくとも表面が前記被取付体の凹陥部側表面より低い標準電極電位を有する導電性物質からなる負極部が前記凹陥部の周縁部より僅かに突出して嵌合され、前記被取付体は全体が生体電池素子を構成していることを特徴とする装身具式治療具用部材。
【請求項６】
前記負極部を形成する部材が弾性変形可能な材質で形成され、前記負極部は、前記部材の弾性変形により前記凹陥部内に圧入されていることを特徴とする請求項５に記載の装身具式治療具用部材。
【請求項７】
前記負極部は、弾性を有する部材と共に前記凹陥部内に圧入されていることを特徴とする請求項５に記載の装身具式治療具用部材。
【請求項８】
請求項１乃至７に記載の装身具式治療具用部材が、前記凹陥部が穿設された面が皮膚に接触するよう、環状に連接されていることを特徴とする装身具式治療具。
【請求項９】
前記被取付体は略蹄鉄形の形状を有し、該略蹄鉄形の内側の面に２つ以上の凹陥部が穿設され、該凹陥部内には前記生体電池素子又は前記負極部が、請求項１乃至７に記載の構成により取り付けられていることを特徴とする装身具式治療具。
【発明の詳細な説明】
【技術分野】
【０００１】
本発明は、生体電池の作用により肌に電気的刺激を与える健康器具で、装飾性をも兼ね備えた装身具式治療具及び該装身具式治療具を構成する部材に関し、さらに詳しくは、生体電池素子の組付けや交換が容易にできる装身具式治療具及び該装身具式治療具を構成する部材に関する。
【背景技術】
【０００２】
生体電池素子とは、例えば特許文献１に示す原理に基づくものであり、生体電池素子を皮膚に接触させることで人体と共に生体電池を構成し、電気的刺激を与えて身体各部位の痛み、不定愁訴、スポーツ障害に対する原因治療を行うものである。
【０００３】
従来、生体電池素子の負極部には金属ゲルマニウム結晶体が使用され、金属ゲルマニウム結晶体は加工が困難な上に脆いので取り扱いが不便であったが、多数の臨床観察の結果から、負極部を亜鉛、錫、インジューム、アンチモン等の酸化物、すなわち金属ゲルマニウム結晶体以外であってもｎ型の半導体を形成している物質とすれば充分な効果が得られることが立証され、セラミック基板上に正極部として貴金属層と、負極部として前記金属酸化物層とを形成し、両者を保護抵抗で接続して生体電池素子（バイオセル：登録商標）を容易に構成して、これを痛みのある所や経穴いわゆるツボに絆創膏で貼って原因治療するバイオセル（登録商標）療法が普及している。
【０００４】
ところで、原因がスポーツによる筋肉疲労や打ち身のように一過性のものではなく、日常生活に基づくような場合には、慢性疾患をもたらすことが多く、生体電池素子も長期に渡って常時貼っておくのが望ましいが、首、手首、足首等の目立つ部位に治療具を絆創膏で直接肌に貼付しているのは薄着の季節には見映えが良くないと言う短所、首回り等に絆創膏でかぶれができることがあると言う短所があり、毎日少し位置を変えて貼り替えるなどの手間があった。
【０００５】
そこで、バイオセル（登録商標）療法自体は、生体電池素子を構成する正極部と負極部とが皮膚に同時に接触しておれば治療の効果が得られるから、近年はブレスレット、アンクレット、アームリング、ネックレス、指輪等の肌に直接付ける装身具の肌との接触面側に、図１１、図１２に示すような中空円盤形の正極部の中空部内に、金属素子製の負極部を圧入した大型の生体電池素子を取り付けた装身具式治療具が、バイオセル（登録商標）治療用装身具として考案された。これらは見映えの点においては皮接治療具には見えず、通常ではかぶれる虞がなく、貼り替える手間もないものである。
（１）特許文献１
【０００６】
少なくとも皮接面が貴金属またはその合金で構成される導電性鉱物Ａと、Ａに近接配置され且つ少なくとも皮接面が前記導電性鉱物Ａより標準単極電位の低いｎ型半導体から成る導電性鉱物Ｂと、を互いの非皮接領域において保護抵抗Ｒを介して電気接続し、導電性鉱物Ａと導電性鉱物Ｂとを同時皮接して用いる。Ｒが０．１〜５０ＭΩの間の適当な抵抗値を有する。前記導電性鉱物Ｂは酸化物半導体、前記導電性鉱物Ｂがこの酸化物半導体を構成する金属元素を含んでいてよい。更に、皮内に注入されたキャリアの運動に影響を与える程度の大きさの磁場を付与した皮接治療具を含む構成としたものである。
【特許文献１】特開平０８−１７３５５４号公報
【発明の開示】
【発明が解決しようとする課題】
【０００７】
しかしながら、生体電池素子の負極部は物理的に、また化学的にも消耗する性質のものであり、例えば負極部にｎ型酸化亜鉛電極を用いた場合、患部の状態にも依るが早ければ１ヶ月乃至１年で寿命となるから、装身具本体の寿命を考慮すると、生体電池素子の組付けや交換が容易に行うことができ、生体電池素子に寿命が来たときには補修が行える必要がある。
【０００８】
そこで、本発明は、生体電池作用を内蔵した装身具式治療具用部材及び装身具式治療具であって、生体電池素子の組付けや交換が容易で、生体電池素子の効果が薄れたときには、生体電池素子または負極部の部分のみの補修・交換を行うことができる装身具式治療具用部材及び装身具式治療具を提供することを第１の課題としている。
【０００９】
また、女性用にはよりお洒落でファッショナブルな装身具が求められるが、図１１、図１２に示すような従来の生体電池素子は、その形状と大きさとに制限が在り、女性に好まれる細身の装身具には適応し難かった。そこで本発明は、生体電池素子の形状や大きさに制限がなく、細身の装身具にも適応可能であって、かつ生体電池素子部の交換が容易に行うことができる装身具式治療具用部材及び装身具式治療具を提供することを第２の課題としている。
【課題を解決するための手段】
【００１０】
係る課題を達成するために、本発明は提案されたものであり、請求項１に記載の発明は、互いに電気的に接続されて正極部及び負極部を形成する、前記正極部は少なくとも表面が前記負極部より高い標準電極電位を有する導電性物質からなり、前記負極部は少なくとも表面が前記正極部より低い標準電極電位を有する導電性物質からなる、前記正極部と前記負極部とが皮膚に同時に接触して人体と共に生体電池を構成する生体電池素子と、一方の面に前記生体電池素子が取付られる凹陥部が穿設された被取付体とを有し、前記凹陥部内には前記生体電池素子が、前記正極部と前記負極部とが皮膚に接触するよう前記凹陥部の周縁部より僅かに突出して嵌合されている装身具式治療具用部材としたことを特徴とする。
【００１１】
請求項２に記載の発明は、請求項１に記載の構成に加えて、前記生体電池素子は、前記凹陥部内に接着されていることを特徴とする。
【００１２】
請求項３に記載の発明は、請求項１に記載の構成に加えて、前記生体電池素子を形成する前記正極部又は前記負極部の少なくとも一方は、該極部を形成する部材が弾性変形可能な材質で形成され、前記生体電池素子は、前記部材の弾性変形により前記凹陥部内に圧入されていることを特徴とする。
【００１３】
請求項４に記載の発明は、請求項１に記載の構成に加えて、前記生体電池素子は、弾性を有する部材と共に前記凹陥部内に圧入されていることを特徴とする。
【００１４】
請求項５に記載の発明は、負極部と、一方の面に前記負極部が取付られる凹陥部が穿設された被取付体とを有し、該被取付体の少なくとも前記凹陥部が穿設された側の表面は、前記負極部より高い標準電極電位を有する導電性物質からなり正極部を形成すると共に、前記凹陥部内には、少なくとも表面が前記被取付体の凹陥部側表面より低い標準電極電位を有する導電性物質からなる負極部が前記凹陥部の周縁部より僅かに突出して嵌合され、前記被取付体は全体が生体電池素子を構成している装身具式治療具用部材としたことを特徴とする。
【００１５】
請求項６に記載の発明は、請求項５に記載の構成に加えて、前記負極部を形成する部材が弾性変形可能な材質で形成され、前記負極部は、前記部材の弾性変形により前記凹陥部内に圧入されていることを特徴とする。
【００１６】
請求項７に記載の発明は、請求項５に記載の構成に加えて、前記負極部は、弾性を有する部材と共に前記凹陥部内に圧入されていることを特徴とする。
【００１７】
請求項８に記載の発明は、請求項１乃至７に記載の装身具式治療具用部材が、前記凹陥部が穿設された面が皮膚に接触するよう、環状に連接されている装身具式治療具としたことを特徴とする。
請求項９に記載の発明は、前記被取付体は略蹄鉄形の形状を有し、該略蹄鉄形の内側の面に２つ以上の凹陥部が穿設され、該凹陥部内には前記生体電池素子又は前記負極部が、請求項１乃至７に記載の構成により取り付けられている装身具式治療具としたことを特徴とする。
【発明の効果】
【００１８】
上記、請求項１に記載の発明によれば、生体電池素子は装身具本体を構成する被取付体の一方の面に穿設された凹陥部内に嵌合されているから、負極部が消耗し、例えば変色してきたら簡単に取り外して交換できる。指輪の様に本体と皮膚が常時密着する形態の装身具であれば、嵌合させてあれば脱落の心配はなく交換が容易である。そして生体電池素子は凹陥部の周縁部より僅かに突出して嵌合されているから、係る部材で構成された装身具式治療具は生体電池素子が皮膚と良好に接触し、治療の効果を上げることができる。
【００１９】
請求項２に記載の発明によれば、請求項１に記載の効果に加えて、生体電池素子は、被取付体の凹陥部内に接着されていることを特徴とするので、生体電池素子と凹陥部の寸法精度が粗く遊嵌されたような状態であっても脱落する虞がなく、樹脂のように寸法精度の出しにくい素材を生体電池素子の部材に採用することや、専用部品として作製されていない生体電池素子を使用することが可能となる。そして、生体電池素子は接着されているから容易に取り外して交換することができる。
【００２０】
請求項３に記載の発明によれば、請求項１に記載の効果に加えて、電極部の少なくとも一方は、電極部を形成する部材が弾性変形可能な材質で形成され、生体電池素子は部材の弾性変形により被取付体の凹陥部内に圧入されていることを特徴とするので、生体電池素子はハンドプレス等で簡単に組付けることができ、使用時には脱落する虞がなく、容易に取り外して交換することができる。
【００２１】
請求項４に記載の発明によれば、請求項１に記載の構成に加えて、生体電池素子は、弾性を有する部材と共に被取付体の凹陥部内に圧入されていることを特徴とするので、生体電池素子の外形寸法が凹陥部の内形寸法より小さければ、生体電池素子の外形寸法や外形形状の如何を問わず、凹陥部と生体電池素子の隙間を弾性を有する部材で充填して支持するから、生体電池素子は簡単に、使用時には脱落する虞がなく、容易に取り外して交換することができるように組付けることができる。
【００２２】
請求項５に記載の発明によれば、被取付体全体が正極部となり、そこに負極部が僅かに突出して嵌合されることを特徴とするので、負極部が消耗したらそれのみを交換することが可能となり、交換用部品は負極部のみを作れば良く安価に製造でき、交換も簡単になり装身具式治療具の使用者が自ら交換するのも容易である。被取付体を小さくし、装身具本体は細身としても、生体電池素子そのものが装身具本体と同じ大きさを有するので、治療効果は変わらず、細身で装飾性に優れた装飾性及び治療性能の両立を達成できる皮接治療用装身具とすることができる。
【００２３】
請求項６に記載の発明によれば、請求項５に記載の効果に加えて、負極部を形成する部材が弾性変形可能な材質で形成され、負極部は部材の弾性変形により被取付体の凹陥部内に圧入されていることを特徴とするので、負極部はハンドプレス等で簡単に組付けることができ、使用時には脱落する虞がなく、容易に取り外して交換することができる。
請求項７に記載の発明によれば、請求項５に記載の効果に加えて、負極部は、弾性を有する部材と共に被取付体の凹陥部内に圧入されていることを特徴とするので、負極部の外形寸法が凹陥部の内形寸法より小さければ、負極部の外形寸法や外形形状の如何を問わず、凹陥部と負極部の隙間を弾性を有する部材で充填して支持するから、負極部は簡単に取付けられ、使用時には脱落する虞がなく、容易に取り外して交換することができるように組付けることができる。
【００２４】
請求項８に記載の発明によれば、請求項１乃至７に記載の装身具式治療具用部材が、前記凹陥部が穿設された面が皮膚に接触するよう、環状に連接されている装身具式治療具を特徴とするので、上述の効果を有する、ブレスレット、アンクレット、ネックレス、指輪等の環状の装身具式治療具が得られる。これらによれば、環状を呈するので、貼る手間も要らなければ、貼付用シートも不要であり、装着し易い。見た目にも治療具を装着しているとは思われないで治療が行える。金属時計バンドや、バンドを連接する金具バックル等にも勿論応用できる。
請求項９に記載の発明によれば、略蹄鉄形の被取付体の内側の面に２つ以上の凹陥部が穿設され、生体電池素子又は負極部が、請求項１乃至７に記載の構成により取り付けられていることを特徴とするので、上述の効果を有するアームリング（腕輪）が得られる。
【発明を実施するための最良の形態】
【００２５】
以下、本発明を実施するための最良の形態について説明する。
【００２６】
図１及び図２に示すように、本発明は、複数個を互いに連接すれば無限軌道状の組立ベルトとして装身具本体５を形成する被取付体３と、少なくとも表面が貴金属又はその合金からなる正極部１と、少なくとも表面が正極部１を構成する金属よりも低い標準電極電位を有する金属及びその合金、又はそれを酸化した金属酸化物からなる負極部２とが電気的に接触するようにした生体電池素子４を構成要素とする。
【００２７】
被取付体３には一方の面に生体電池素子４を組付けるための凹陥部６が穿設される。他方の面は任意であるが、被取付体３を連接して装身具本体５としたときに装身具として見える部分になるので、見映えを良くする表面加飾が施してあってもよい。
【００２８】
被取付体３の材質はステンレス鋼やチタンが錆びたり傷付きにくいことから好適に用いられるが、これに限られず、貴金属、銅、鉄、その他の金属、真鍮等の合金、又硬質プラスチックス等の樹脂も用いることができる。さらに、これらの金属や樹脂に金メッキ、硬質クロムメッキ、無電解ニッケルメッキ等の表面加飾したものでもよい。
【００２９】
被取付体３を貴金属又はその合金、或いは貴金属がメッキされた材質で作製すれば、被取付体３自身が正極部１として機能するので、被取付体３の凹陥部６に、次に詳述する負極部２のみを電気的に接触するように嵌合して、被取付体３自体を生体電池素子４として機能させてもよい。被取付体３自体を正極部１とする構成では負極部２のみ嵌合すれば良いから、貴金属メッキした細いベルトに小型の負極部２を嵌合させ、女性用の細身の装身具式治療具なども容易に作ることができる。
【００３０】
被取付体３の形状は短冊型の平板形状に限らず、腕や身体の曲面に合わせて湾曲した形状とするのが、皮膚と良好に接触して、治療効果を高めることができると共に、装着感も良くなり好ましい。また、三日月状に湾曲させた被取付体３を２〜３個連接して指輪の装身具本体５としてもよい。更に、一つの環に形成して指輪や、腕や手首の断面形状に合わせた蹄鉄形に形成してアームリング（腕輪）型の装身具本体５としてもよい。
【００３１】
生体電池素子４は、標準電極電位の異なる２種類の金属を電気的に接触させ、高い標準電極電位を有する側を正極部１、低い標準電極電位を有する側を負極部２とし、装身具本体５を装着したときに、正極部１と負極部２とはほぼ同時に皮膚に接触するように構成する。
【００３２】
正極部１の材質は少なくとも表面に貴金属を用いるのが好ましく、２４金又は２４金のメッキ処理とするのがより好ましい。
【００３３】
負極部２の材質は半導体であることが好ましく、特にｎ型半導体を用いると、負極部２の電極上に塩が析出せずに、電子が安定的に供給される為、ｎ型半導体を用いることが好ましい。ｎ型半導体の負極部としては、金属ゲルマニウム結晶体や、酸化亜鉛、酸化錫、酸化インジュウム、酸化アンチモン等の金属酸化物半導体が好適に使用できる。
【００３４】
通常の金属亜鉛や金属錫を負極部２として用いてもよい。卑金属で負極部２を構成した場合、理論上は電子の不足する負極部２の表面に、皮膚表面の水酸化物マイナスイオンが吸着されて絶縁性被膜が形成され、時間とともに生体電池としての機能は停止するが、バイオセル（登録商標）を絆創膏で皮膚に固定した場合と異なり、装身具式治療具は皮膚表面を擦って動くため、表面の水酸化物が物理的に擦り取られているものと考えられ、金属亜鉛の負極部２としても電池機能が短期間で停止することがなく、空気中で使用しているから表面はやがて酸化亜鉛や酸化錫に変わり、バイオセル（登録商標）の効果が持続する。
【００３５】
電極は金属製に限られず、樹脂等で基材を成形し、電極となる金属をメッキ処理等により表面に設けることで正極部１や負極部２を構成してもよい。樹脂は多少の弾性変形が可能だから、基材が樹脂で成形された電極で生体電池素子４を形成すれば、簡便なハンドプレスなどで生体電池素子４を圧入することが可能であり、着脱容易であると共に、接着剤などを使用しなくとも脱落する虞がない電極とできる。
【００３６】
電極の部材に使用できる弾性変形可能な材料としては、ＰＳ、ＡＢＳ、ＰＯＭ等の熱可塑性樹脂、熱硬化性のポリエステル樹脂、エボナイトなどの架橋密度の高いゴム材などが挙げられるが、無電解メッキや真空蒸着により表面が金属化できる材料であればその材質が限定されるものではない。
【００３７】
また、貴金属メッキされた金属バネ材を正極部１に使用するか、或いは亜鉛メッキや錫メッキされた金属バネ材を負極部２に使用して、当該メッキされた金属バネ材が対向する電極を押圧しつつ凹陥部６の中に係合する構成とし、金属バネ電極の弾性を利用して生体電池素子４を凹陥部６の中に係止する構成としても、圧入と抜出が容易な生体電池素子４とすることができる。
【００３８】
生体電池素子４や負極部２と共に被取付体３の凹陥部６に圧入して、その弾性反発力により電極の脱落防止する弾性を有する部材としては、各種のゴムが簡便に使用できる。人体に接触しても影響を与えず、圧縮永久歪み性に優れて長期に渡り弾性反発力を維持する等の観点から、シリコーンゴムやフッ素ゴムが好適に使用できる。
【００３９】
弾性を有する部材の形状は、凹陥部６の大きさと、一緒に圧入する電極の大きさとに合わせ適宜選択する。凹陥部６を円形とした場合、外径が一致するシリコーンチューブを輪切りにして挿入し、シリコーンチューブの中に生体電池素子４や負極部２を圧入するのが便利である。
〔発明の実施の形態１〕
【００４０】
図２は本発明の実施の形態１に係る、生体電池作用を内蔵した装身具式治療具用部材の平面図である。軟鉄に亜鉛メッキ処理した後、表面を酸化して酸化亜鉛被膜を形成した負極部２を、軟鉄のリングに金メッキ処理した正極部１のリングの中に挿入し、生体電池素子４を構成して、それを更にステンレス合金製の被取付体３の一方の面に形成した凹陥部６の中に、凹陥部６の周縁部から僅かに突出するようにして嵌合している。図３はその断面図である。
【００４１】
正極部１と負極部２とは、電気的に接続していれば図２とは逆の配置としても良い。しかし、両極が皮膚に同時に接触しないと生体電池が構成されず治療効果は得られないので、図３の断面図に示したように、生体電池素子４は被取付体３の表面から僅かに突出させて嵌合させる。本実施の形態の如くリング状電極を用いる場合、リング電極の内側に入る電極（図３で言えば負極部２）は、リング電極（図３で言えば正極部１）より、更にごく僅か突出するように構成する。皮膚は柔らかくて凹むが、生体電池素子４を図３のように構成することで、リング電極とその内側の電極は同時に、十分に皮膚と接触し、治療効果が高くなる。
【００４２】
図２、図３の如く、被取付体３に生体電池素子４を嵌合し皮接治療用装身具用部材とする。これを図１に示す如く任意の個数連接し、所望の長さの環状の装身具式治療具とする。
〔発明の実施の形態２〕
【００４３】
図４は本発明の実施の形態２に係る、生体電池作用を内蔵した装身具式治療具用部材の平面図である。この実施の形態では、被取付体３に穿設した凹陥部６の中に生体電池素子４と一緒にゴム状弾性部材７を挿入することで、このゴム状弾性部材７の弾性反発力を利用して生体電池素子４が凹陥部６から脱落しないしないように固定している。
【００４４】
ゴム状弾性部材７の大きさと厚みを適宜選択することで、凹陥部６の内径と生体電池素子４の外径とが著しく異なる場合にも、そのまま圧入して固定できる。そして、接着剤のように乾くまで待つ時間が必要無く、装身具本体５が汚れる虞もないので、生体電池素子４の組付け作業が素早く円滑に行える。更に、正極部１と負極部２との間に接着剤が侵入して両極間に絶縁性皮膜を形成し、生体電池素子４が機能しなくなるトラブルが発生しない。
【００４５】
実施例では、図４に示すように、シリコーンゴムのチューブを凹陥部６の深さと略同じ長さに輪切りにした環状のゴム状弾性体７を凹陥部６の中に挿入し、更にその中に、半月（半円筒）形状の正極部１と負極部２とを各１個圧入している。
〔発明の実施の形態３〕
図６は本発明の実施の形態３に係る、生体電池作用を内蔵した装身具式治療具用部材の平面図である。この実施の形態では、被取付体１３は銀の無垢材で形成されて被取付体１３全体が正極部１として機能する。凹陥部６には、ＡＢＳ樹脂で成形された部材に亜鉛を無電解メッキしたものが、負極部２として圧入されている。ＡＢＳ樹脂製の負極部２は弾性変形するので、着脱が容易である。
【００４６】
係る構成は、凹陥部６に挿入するのは負極部２を構成する部材だけだから、凹陥部６の大きさを小さくすることができ、被取付体１３も小さくできるので、装身具本体５は細身となる。しかし、装身具式治療具全体が生体電池素子４を構成するから、生体電池素子４そのものはそれほど小さくならず、治療効果は変わらずに、細身で装飾性に優れた装飾性及び治療性能の両立を達成できる装身具式治療具となる。
〔発明の実施の形態４〕
【００４７】
図８は本発明の実施の形態４に係る、生体電池作用を内蔵した装身具式治療具の斜視図である。
【００４８】
この実施の形態では、生体電池素子４が嵌合される部材が、被取付体３に替わって略蹄鉄形アームリング１０となっているが、生体電池素子４の嵌合方法は被取付体３に嵌合する場合と同じである。略蹄鉄形アームリング１０を貴金属で作製し、負極部２のみを嵌合する形態としても良いのは勿論である。
【産業上の利用可能性】
【００４９】
本発明は以上の通りであるから、治療効果が抜群であり装飾性に優れると共に、治療効果が薄れたときには生体電池素子又は生体電池素子を構成する負極部を容易に交換することができるから、長期間に渡り装着するブレスレット、アンクレット、アームリング、ネックレス、指輪又は腕時計ベルト等の装身具式治療具として使用する。
【図面の簡単な説明】
【００５０】
【図１】本発明の実施の形態１に係る連接型の装身具式治療具の裏面正面図である。
【図２】本発明の実施の形態１に係る装身具式治療具を構成する装身具式治療具用部材の裏面正面図である。
【図３】本発明の実施の形態１に係る装身具式治療具を構成する装身具式治療具用部材の図２のＡ−Ａ’断面図である。
【図４】本発明の実施の形態２に係る装身具式治療具を構成する装身具式治療具用部材の裏側正面図である。
【図５】本発明の実施の形態３に係る連接型の装身具式治療具の裏面正面図である。
【図６】本発明の実施の形態３に係る装身具式治療具を構成する装身具式治療具用部材の裏面正面図である。
【図７】本発明の実施の形態３に係る装身具式治療具を構成する装身具式治療具用部材の図６のＣ−Ｃ’断面図である。
【図８】本発明の実施の形態４に係る蹄鉄形アームリングの斜視図である。
【図９】従来の皮接治療用装身具に使用されていた生体電池素子の平面図である。
【図１０】従来の皮接治療用装身具に使用されていた生体電池素子の図９のＡ−Ａ’断面図である。
【符号の説明】
【００５１】
１      正極部
２      負極部
３      被取付体
４      生体電池素子
５      装身具本体
６       凹陥部
７      ゴム状弾性体（シリコーンゴムチューブ）
１０    蹄鉄形アームリング型の装身具式治療具
１３    貴金属製の被取付体
【図１】
2007229309.tif 000003
【図２】
2007229309.tif 000004
【図３】
2007229309.tif 000005
【図４】
2007229309.tif 000006
【図５】
2007229309.tif 000007
【図６】
2007229309.tif 000008
【図７】
2007229309.tif 000009
【図８】
2007229309.tif 000010
【図９】
2007229309.tif 000011
【図１０】
2007229309.tif 000012